(57)【要約】【課題】  通電状態で回路ユニットを別途補助部材等を用いることなくラックから脱落しないように突出させることが可能であるとともに、ラックから取り出した際に別途補助部材を用いることなく作業をおこなえる制御装置の回路ユニット挿脱構造を提供する。【解決手段】  制御装置の回路ユニット挿脱構造１０は、回路基板取付金具１６の奥行き方向に沿った上下の端縁における奥行き側に設けられた上下の切欠部２１と、上下の切欠部２１の奥側に設けられ、挿脱口１４の開口縁部２３に当接可能な上下のストッパ部２５と、挿脱口１４の開口縁部２３のうち、対向する上下の開口縁部が設けられ、回路基板取付金具１６を挿脱方向にスライド自在に支持する上下のスライド溝部２７と、上下のスライド溝２７に隣接して設けられ、ストッパ部２５が通過可能な上下の挿脱溝部２８とを備える。【選択図】    図２
2006303358.tif 000002
【特許請求の範囲】
【請求項１】
回路基板を有する回路ユニットがラックの挿脱口に挿脱可能に挿着された制御装置の回路ユニット挿脱構造において、
前記回路ユニットが、
前記ラックの挿入開始側の両端に設けた一対の切欠部と、
前記切欠部よりさらに挿入開始側に設けた一対のストッパとを有し、間隔を設けて前記回路基板を支持する回路基板取付金具と、
前記回路基板取付金具と垂直に設けたパネルとを有し、
前記挿入口が、
前記回路ユニットを保持する面に設けた一対の開口縁部と、
前記開口縁部が前記回路基板取付金具を挿脱方向にスライド自在で、前記回路基板取付金具を引き出した際には前記ストッパと係合して保持する一対のスライド溝部と前記スライド溝部に隣接して前記ストッパが通過可能な一対の挿脱溝部とを有し、
前記切欠部と前記開口縁部とが嵌合して前記回路ユニットを前記挿脱溝部から前記スライド溝部まで移動可能とし、前記回路基板の端部が前記スライド溝部にガイドされて前記回路ユニットが前記ラックに収納されることを特徴とする制御装置の回路ユニット挿脱構造。
【請求項２】
前記回路ユニットを前記ラックに収納した際、前記パネルが他の回路ユニットのパネルと同一平面を形成し、ラックのパネル面を形成することを特徴とする請求項１に記載の制御装置の回路ユニット挿脱構造。
【発明の詳細な説明】
【技術分野】
【０００１】
本発明は、回路基板を有する回路ユニットがラックに挿脱可能に挿着された制御装置の回路ユニット挿脱構造に関する。
【背景技術】
【０００２】
携帯電話や情報携帯端末等に対して送受信をおこなうために無線基地局が用いられている。この種の無線基地局は、略箱状ラックの挿脱口に回路ユニットが挿脱可能に挿入された制御装置を備える（例えば、特許文献１）。
【０００３】
特許文献１の制御装置は、所定の機能を選択的に追加するために、箱状のラックに回路ユニットが挿脱可能に接続されている。回路ユニットは、例えば長方形板状の回路基板を有している。
この回路基板は、一方の長辺端縁に接続パターンが設けられ、他方の長辺端縁に沿ってパネルが略直交するように連結されている。接続パターンは、待ち受けコネクタに咬合され接続される。パネルには各種接続ポートが設けられている。回路基板は、回路基板を収納する開口部の奥に設けられたマザーボードに設けられた待ち受けコネクタから給電され、各回路が接続される。
【０００４】
このように構成された回路ユニットは、ラック内部の天面および底面に設けられたレールに沿って基板端縁を摺動させることによりラック内部の奥に配置されたマザーボードに設けた待ち受けコネクタに案内される。
回路ユニットがラック内部に案内されたとき、ラック内部の奥に配置された待ち受けコネクタに、回路パターンの接続パターンを挿入する。これにより、回路基板を待ち受けコネクタを介して所望の機器に電気的に接続する。
回路ユニットがラック内部に案内された状態において、回路ユニットのパネルがラックの枠部にビス等により固定される。
【特許文献１】特開平６−３３７７０６号公報
【発明の開示】
【発明が解決しようとする課題】
【０００５】
ところで、制御部の回路ユニットは、点検、調整等をおこなうために、回路基板の全容が露出するように、ラックから脱落しない程度に突出される場合がある。
しかしながら、この場合、回路基板の接続パターンを一時的に待ち受けコネクタから抜き出すことになる。このため、回路基板と所望の機器との電気的な接続が解除されることになり、回路基板を所望の機器に通電させた状態で点検、調整等がおこなえないという不都合がある。
【０００６】
また、回路ユニットが大型あるいは重量物の場合には、回路基板の全容を露出させるため、ラックから回路ユニットが引き出し可能な補助レールを、ラックの外側に別途設けておく必要がある。
【０００７】
さらに、回路ユニットは、回路基板が被覆されていないため、例えばラックから取り出してから作業台に載置して作業をおこなう場合に、回路基板を作業台に直接載せることは好ましくない。
このため、作業台と回路基板との間に脚部材を介装させて、回路基板が作業台に接触（当接）しないようにする必要がある。
【０００８】
本発明は上記事情に鑑みてなされたもので、通電状態で待ち受けコネクタに接続する延長基板等の別途補助部材を用いることなくラックから脱落しないように突出させることが可能で、ラックから取り出した際に別途補助部材を用いることなく作業をおこなえる制御装置の回路ユニット挿脱構造を提供することを目的とする。
【課題を解決するための手段】
【０００９】
本発明の制御装置の回路ユニット挿脱構造は、回路基板を有する回路ユニットがラックの挿脱口に挿脱可能に挿着された制御装置の回路ユニット挿脱構造において、前記回路ユニットが、前記ラックの挿入開始側の両端に設けた一対の切欠部と、前記切欠部よりさらに挿入開始側に設けた一対のストッパとを有し、間隔を設けて前記回路基板を支持する回路基板取付金具と、前記回路基板取付金具と垂直に設けたパネルとを有し、前記挿入口が、前記回路ユニットを保持する面に設けた一対の開口縁部と、前記開口縁部が前記回路基板取付金具を挿脱方向にスライド自在で、前記回路基板取付金具を引き出した際には前記ストッパと係合して保持する一対のスライド溝部と前記スライド溝部に隣接して前記ストッパが通過可能な一対の挿脱溝部とを有し、前記切欠部と前記開口縁部とが嵌合して前記回路ユニットを前記挿脱溝部から前記スライド溝部まで移動可能とし、前記回路基板の端部が前記スライド溝部にガイドされて前記回路ユニットが前記ラックに収納されることを特徴とする。
【００１０】
また、パネル面のコネクタからの結線で各回路ユニットと電気的に接続させた。これにより、回路ユニットをラック内から引き出して突出させた際に、回路基板がケーブルを介して所望の機器に電気的に接続させた状態、すなわち所望の機器への通電状態が保たれる。
【００１１】
また、本発明の制御装置の回路ユニット挿脱構造は、前記回路ユニットを前記ラックに収納した際、前記パネルが他の回路ユニットのパネルと同一平面を形成し、ラックのパネル面を形成することを特徴とする。
【００１２】
これによりラック装着時の回路基板への異物混入を防ぎ、回路ユニット全体の外観を整えることができる。
【００１３】
また、回路基板取付金具の両端縁にストッパ部を設けることで、回路ユニットをラック内から引き出して、突出させた際に、ストッパ部材が挿脱口の開口縁部に当接する。よって、回路ユニットをラックから引き出した位置に保持することができる。
これにより、回路ユニットを別途補助部材等を用いることなくラックから脱落しないように突出させることができる。
【発明の効果】
【００１４】
本発明によれば、回路基板からケーブルを引き出し、かつ、回路基板取付金具の両端縁にストッパ部を設けることで、通電状態で回路ユニットを別途補助部材等を用いることなくラックから脱落しないように突出させることができるという効果を有する。
【００１５】
本発明によれば、回路基板に対して略平行で、離間して回路基板取付金具を設けることで、ラックから取り出した際に別途補助部材を用いることなく作業をおこなえるという効果を有する。
【発明を実施するための最良の形態】
【００１６】
図１に示すように、第１実施形態の制御装置の回路ユニット挿脱構造１０は、回路基板１７を有する回路ユニット１２を、ラック１３の挿脱口１４に挿脱可能に構成したものである。
【００１７】
制御装置の回路ユニット挿脱構造１０は、回路基板１７、回路基板取付金具１６、放熱、絶縁のために設けた間隔をもって取り付けられている回路基板取付金具１６を回路基板取付金具１６の上下端部に設けた一対のストッパ２５が通過できる一対の挿脱口２８からラック１３に挿入する。ストッパ２５が挿脱口２８を通過した後、ラック１３の開口縁部２３Ａ、２３Ｂと回路基板取付金具１６に設けたスリット２１とを合わせることにより、回路ユニット１２は横方向に移動することができる。
回路基板取付金具１６は、開口縁部２３Ａ、２３Ｂのレール３１の延長線上に当たる部分に設けたスリット２７にガイドされ、レール３１と回路基板取付金具１６の上端１６Ａ、下端１６Ｂとが係合し、回路ユニット１２がラック１３内に装着される。
【００１８】
回路ユニット１２は、ラック１３の挿入開始側の両端に設けた一対の切欠部２１と、切欠部２１よりさらに挿入開始側に設けた一対のストッパ２５とを有し、間隔を設けて回路基板１７を支持する回路基板取付金具１６と、回路基板取付金具１６と垂直に設けたパネル１１とを有する。
挿入口２８は、回路ユニット１２を保持する面に設けた一対の開口縁部２３Ａ，２３Ｂと、開口縁部２３Ａ，２３Ｂが回路基板取付金具１６を挿脱方向にスライド自在で、回路基板取付金具１６を引き出した際にはストッパ２５と係合して保持する一対のスライド溝部２７とスライド溝部２７に隣接してストッパが通過可能な一対の挿脱溝部２８とを有する。
【００１９】
加えて、制御装置の回路ユニット挿脱構造１０は、上下の切欠部２１を上下の開口縁部２３Ａ，２３Ｂに嵌合することで回路基板取付金具１６をスライド溝部２７から挿脱溝部２８まで移動可能に構成したものである。
【００２０】
ラック１３は、略箱状に形成され、前部に挿脱口１４を備える。挿脱口１４は、開口縁部２３を備え、開口縁部２３は、上下の開口縁部２３Ａ，２３Ｂおよび左右の開口縁部２３Ｃ，２３Ｄで略矩形の枠体状に形成されている。
ラック１３の内部の天面１３Ａおよび底面１３Ｂにレール３１がそれぞれ設けられている。
上下の開口縁部２３Ａ，２３Ｂに回路ユニット１２を略直交させるように配置し、この状態で回路ユニット１２を開口縁部２３から挿脱口１４内に挿入する。
回路基板取付金具１６の上下の端縁１６Ａ，１６Ｂを、上下のレール３１に沿って摺動させることにより、開口ユニット１２がラック１３内部に案内される。
【００２１】
回路ユニット１２の回路基板取付金具１６は、レール３１と係合する上下の端縁１６Ａ，１６Ｂを有する短矩形状である。
回路基板取付金具１６は回路基板１７、パネル１１を支持し、パネル面に設けたコネクタ１６Ｃに接続するケーブルで所望の回路ユニット、機器（図示せず）と接続する。
【００２２】
なお、上下の切欠部２１はそれぞれ同じ形状であり、また、上下のストッパ部２５はそれぞれ同じ部材である。同様に、上下のスライド溝部２７はそれぞれ同じ形状であり、また、上下の挿脱溝部２８もそれぞれ同じ形状である。
よって、以下、下側の切欠部２１、ストッパ部２５、スライド溝部２７および挿脱溝部２８についてのみ説明して、上側の部材の説明を省略する。
【００２３】
図２に示すように、下側の切欠部２１は、回路基板取付金具１６の下側の端縁１６Ｂにおける奥行き側に設けられ、下側の開口縁部２３Ｂに摺動可能に形成したものである。
【００２４】
図３、図４に示すように、下側のストッパ部２５は、回路基板取付金具１６の下側の端縁１６Ｂにおける下側の切欠部２１の奥側に設けられた部材である。
ストッパ部２５は、一例として、回路基板取付金具１６にねじ結合させることで、回路基板取付金具１６から突出させたねじ部材である。
【００２５】
このストッパ部２５は、下側の端縁１６Ｂが、下側のスライド溝部２７に差し込まれた状態で、回路ユニット１２をラック１３から引き出して、所定量突出させた際に、下側の開口縁部２３Ｂに当接可能な部材である。
これにより、回路ユニット１２がラック１３から抜け出すことを防ぐとともに、回路ユニット１２を所定量突出した状態に保持する。
【００２６】
図２に示す下側のスライド溝部２７は、下側の開口縁部２３Ｂに設けられ、回路基板取付金具１６の下側の端縁１６Ｂが差し込み可能に形成されている。
このスライド溝部２７は、回路基板取付金具１６が差し込まれた状態で、回路ユニット１２をラック１３から所定量突出させた際に、ストッパ部２５が下側の開口縁部２３Ｂに当接するように（図３、図４参照）、溝巾Ｗ１（図２参照）が狭く形成されている。
【００２７】
図２に示すように、下側のスライド溝部２７に隣接して下側の挿脱溝部２８が設けられている。下側の挿脱溝部２８は、回路基板取付金具１６が差し込まれた状態で、回路ユニット１２を挿脱方向にスライドさせた際に、ストッパ部２５が通過するように、溝巾Ｗ２が広く形成されている。
【００２８】
次に、制御装置の回路ユニット挿脱構造１０の回路ユニット１２をラック１３に収納する例を図５（Ａ）〜（Ｄ）に基づいて説明する。
図５（Ａ）に示すように、回路ユニット１２の回路基板取付金具１６を矢印Ａの方向に移動して、回路基板取付金具１６の下側の端縁１６Ｂを挿脱溝部２８に差し込む。
ストッパ部２５が挿脱溝部２８通過してラック１３の内部側に進入する。
【００２９】
図５（Ｂ）に示すように、下側の切欠部２１を下側の開口縁部２３Ｂに合わせ、回路基板取付金具１６を矢印Ｂの方向に移動することにより、下側の切欠部２１を下側の開口縁部２３Ｂに嵌め込む。
【００３０】
図５（Ｃ）に示すように、下側の切欠部２１を下側のスライド溝部２７に合わせ、回路基板取付金具１６を矢印Ｃの方向に移動することにより、回路基板取付金具１６がスライド溝部２７に差し込まれた状態でラック１３の内部に移動する。
【００３１】
図５（Ｄ）に示すように、回路基板取付金具１６がスライド溝部２７に差し込まれた状態でラック１３の内部に移動することで、回路基板取付金具１６がレール３１に差し込まれる。
この状態で、回路基板取付金具１６、すなわち回路ユニット１２を継続して矢印Ｃの方向に移動することにより、回路ユニット１２をラック１３の内部に収納する。
【００３２】
次いで、制御装置の回路ユニット挿脱構造１０の回路ユニット１２をラック１３から所定量突出させた位置に保持する例を図３、図４に基づいて説明する。
回路ユニット１２をラック１３の内部から引き出すことにより、回路基板取付金具１６がスライド溝部２７に差し込まれた状態でラック１３の外側に移動する。
回路ユニット１２がラック１３の内部から引き出されて、所定量突出したとき、ストッパ部２５が下側の開口縁部２３Ｂに当接する。
【００３３】
よって、回路ユニット１２がラック１３から抜け出すことを防ぐとともに、回路ユニット１２を所定量突出した状態に保持する。
これにより、回路ユニット１２を別途補助部材等を用いることなくラック１３から脱落しないように突出させることができる。
【００３４】
ここで、回路基板１７に設けられ、パネル１１の開口から接続するコネクタ１６Ｃを用いてケーブルを接続し、所望の機器に電気的に接続させた。
よって、回路ユニット１２をラック１３内から引き出して突出させた際に、回路基板１１がケーブル１８を介して所望の機器に電気的に接続させた状態、すなわち所望の機器への通電状態が保たれる。
これにより、回路ユニット１２をラック１３内から引き出した状態において、回路基板１１を所望の機器に通電させた状態で点検、調整等がおこなえる。
【００３５】
次に、制御装置の回路ユニット挿脱構造１０の回路ユニットをラック１３から取り出す例を図６（Ａ）〜（Ｃ）に基づいて説明する。
図６（Ａ）に示すように、回路ユニット１２を所定量突出させた位置から、回路ユニット１２の回路基板取付金具１６を矢印Ｄの方向に僅かに移動させて、下側の切欠部２１を下側の開口縁部２３Ｂに合わせる。
【００３６】
図６（Ｂ）に示すように、回路基板取付金具１６を矢印Ｅの方向に移動させて、下側の切欠部２１を下側の開口縁部２３Ｂに嵌め込む。
この状態で、回路基板取付金具１６を開口縁部２３Ｂに沿わせて矢印Ｅの方向に継続させて移動する。
【００３７】
図６（Ｃ）に示すように、回路基板取付金具１６を挿脱溝部２８に合わせる。この状態で、回路基板取付金具１６を矢印Ｆの方向に移動する。
これにより、回路基板取付金具１６が挿脱溝部２８に差し込まれた状態でラック１３の外側に移動する。
【００３８】
ストッパ部２５が挿脱溝部２８通過してラック１３の外側に移動する。これにより、回路基板取付金具１６、すなわち回路ユニット１２をラック１３から取り出してから作業台（図示せず）に載置して作業をおこなうことができる。
【００３９】
これにより、例えば、ラック１３から回路ユニット１２を取り出してから回路基板取付金具１６を作業台に載置して作業をおこなうことが可能になる。従って回路基板１７は脚部等の補助部材を用いることなく作業がおこなえる。
【００４０】
なお、前記実施形態では、ストッパ部２５としてねじ部材を用い、ストッパ部２５を回路基板取付金具１６にねじ結合させることで、回路基板取付金具１６から突出させた例について説明したが、ストッパ部２５はねじ部材に限定するものではない。
また、前記実施形態で例示した切欠部２１、スライド溝部２７および挿脱溝部２８の形状は、適宜の変更が可能である。
【産業上の利用可能性】
【００４１】
本発明に係る回路ユニット挿脱構造は、回路基板を有する回路ユニットがラックに挿脱可能に挿着された制御装置への適用に好適である。
【図面の簡単な説明】
【００４２】
【図１】本発明に係る制御装置の回路ユニット挿脱構造を備えた制御部を示す斜視図である。
【図２】本発明に係る制御装置の回路ユニット挿脱構造を示す斜視図である。
【図３】本発明に係る制御装置の回路ユニット挿脱構造で回路ユニットを所定量突出させた位置に保持した状態を示す斜視図である。
【図４】本発明に係る制御装置の回路ユニット挿脱構造で回路ユニットを所定量突出させた位置に保持した状態を示す側面図である。
【図５】本発明に係る制御装置の回路ユニット挿脱構造の回路ユニットをラックの内部に収容する例を説明する図である。
【図６】本発明に係る制御装置の回路ユニット挿脱構造の回路ユニットをラックから取り出す例を説明する図である。
【符号の説明】
【００４３】
１０  制御装置の回路ユニット挿脱構造
１２  回路ユニット
１３  ラック
１４  ラックの挿脱口
１６  回路基板取付金具
１６Ａ，１６Ｂ  回路基板取付金具の上下の端縁（回路基板取付金具の両端縁）
１７  回路基板
２１  切欠部
２３  開口縁部
２３Ａ，２３Ｂ  対向する開口縁部
２５  ストッパ部
２７  スライド溝部
２８  挿脱溝部
【図１】
2006303358.tif 000003
【図２】
2006303358.tif 000004
【図３】
2006303358.tif 000005
【図４】
2006303358.tif 000006
【図５】
2006303358.tif 000007
【図６】
2006303358.tif 000008